(57)【要約】  本開示のいくつかの態様は、データサービスアベイラビリティを改善するための方法および装置に関する。いくつかの態様は、ＵＥが第１のネットワークのカバレージエリア中にある間、パケットデータネットワーク（ＰＤＮ）を備える第２のネットワークへの接続がローカルに切断されたと決定することと、第２のネットワークに接続するようにとの要求の拒否を回避するための少なくとも１つのアクションをとることとを含む、ＵＥによるワイヤレス通信のための方法および装置を提供する。
2015514368.tif 000002
【特許請求の範囲】
【請求項１】
ユーザ機器（ＵＥ）によるワイヤレス通信のための方法であって、
前記ＵＥが第１のネットワークのカバレージエリア中にある間、パケットデータネットワーク（ＰＤＮ）を備える第２のネットワークへの接続がローカルに切断されたと決定することと、
前記第２のネットワークに接続するようにとの要求の拒否を回避するための少なくとも１つのアクションをとることと
を備える、方法。
【請求項２】
前記第２のネットワークへの前記接続がデータスロットリング中に切断されたと決定すること
をさらに備える、請求項１に記載の方法。
【請求項３】
前記少なくとも１つのアクションをとることは、前記第２のネットワークへの前記接続が前記データスロットリング中に切断されたと決定した実質的直後に、前記ＵＥのベアラステータスを前記第１のネットワークと同期させるためにトラッキングエリア更新（ＴＡＵ）を開始することを備える、請求項２に記載の方法。
【請求項４】
前記少なくとも１つのアクションをとることは、
前記ＵＥによって前記第２のネットワークへの前記接続をローカルに切断することに対してフラグを設定することと、
前記フラグが設定された場合、前記ＵＥのベアラステータスを前記第１のネットワークと同期させるために、スロットリングタイマーの満了時にトラッキングエリア更新（ＴＡＵ）を開始することと
を備える、請求項２に記載の方法。
【請求項５】
前記少なくとも１つのアクションをとることは、
前記第１のネットワークが予期しないアクティブ無線ベアラコンテキストを有すると決定することと、
応答して、前記ＵＥのベアラステータスを前記第１のネットワークと同期させるためにトラッキングエリア更新（ＴＡＵ）を開始することと
を備える、請求項１に記載の方法。
【請求項６】
前記少なくとも１つのアクションをとることは、
データスロットリングが実施されている間、アプリケーションから前記第１のネットワークへの、前記第２のネットワークから切断するようにとの要求をバッファすることと、
前記データスロットリングの満了まで前記要求をバッファすることと、
前記データスロットリングの満了時に、前記バッファされた要求を前記第１のネットワークに転送することと
を備える、請求項１に記載の方法。
【請求項７】
前記第２のネットワークへの接続を求める後続の要求が前記第１のネットワークによって拒否されたことを検出すること
をさらに備える、請求項１に記載の方法。
【請求項８】
前記後続の要求の前記拒否は、前記第１のネットワークが前記第２のネットワークへの追加の接続を許可しないことを示す、請求項７に記載の方法。
【請求項９】
少なくとも１つのアクションをとることは、
前記ＵＥによって前記第２のネットワークへの前記接続をローカルに切断することに対してフラグを設定することと、
前記フラグが設定された場合、前記後続の要求の前記拒否を検出したことに応答して、前記ＵＥのベアラステータスを前記第１のネットワークと同期させるためにトラッキングエリア更新（ＴＡＵ）を開始することと
を備える、請求項７に記載の方法。
【請求項１０】
前記少なくとも１つのアクションをとることは、
前記第１のネットワークが予期しないアクティブ無線ベアラコンテキストを有すると決定することと、
前記第１のネットワークが予期しないアクティブ無線ベアラコンテキストを有すると決定したことに応答して、フラグを設定することと、
前記フラグが設定された場合、前記後続の要求の前記拒否を検出したことに応答して、前記ＵＥのベアラステータスを前記第１のネットワークと同期させるためにトラッキングエリア更新（ＴＡＵ）を開始することと
を備える、請求項７に記載の方法。
【請求項１１】
前記少なくとも１つのアクションをとることは、
前記ＵＥが前記第２のネットワークに接続されているかどうかを決定することと、
前記後続の要求の前記拒否を検出したことと、前記ＵＥが前記第２のネットワークに接続されていないと決定したこととに応答して、トラッキングエリア更新（ＴＡＵ）を開始することと、
を備える、請求項７に記載の方法。
【請求項１２】
前記第１のネットワークがロングタームエボリューション（ＬＴＥ）ネットワークを備える、請求項１に記載の方法。
【請求項１３】
決定することが、前記ＵＥによって決定することを備える、請求項１に記載の方法。
【請求項１４】
前記第２のネットワークが前記第１のネットワークを介して接続される、請求項１に記載の方法。
【請求項１５】
ユーザ機器（ＵＥ）によるワイヤレス通信のための装置であって、
前記ＵＥが第１のネットワークのカバレージエリア中にある間、パケットデータネットワーク（ＰＤＮ）を備える第２のネットワークへの接続がローカルに切断されたと決定するための手段と、
前記第２のネットワークに接続するようにとの要求の拒否を回避するための少なくとも１つのアクションをとるための手段と
を備える、装置。
【請求項１６】
前記第２のネットワークへの前記接続がデータスロットリング中に切断されたと決定するための手段
をさらに備える、請求項１５に記載の装置。
【請求項１７】
前記少なくとも１つのアクションをとるための前記手段は、前記第２のネットワークへの前記接続が前記データスロットリング中に切断されたと決定した実質的直後に、前記ＵＥのベアラステータスを前記第１のネットワークと同期させるためにトラッキングエリア更新（ＴＡＵ）を開始するように構成された、請求項１６に記載の装置。
【請求項１８】
前記少なくとも１つのアクションをとるための前記手段は、
前記ＵＥによって前記第２のネットワークへの前記接続をローカルに切断することに対してフラグを設定することと、
前記フラグが設定された場合、前記ＵＥのベアラステータスを前記第１のネットワークと同期させるために、スロットリングタイマーの満了時にトラッキングエリア更新（ＴＡＵ）を開始することと
を行うように構成された、請求項１６に記載の装置。
【請求項１９】
前記少なくとも１つのアクションをとるための前記手段は、
前記第１のネットワークが予期しないアクティブ無線ベアラコンテキストを有すると決定することと、
応答して、前記ＵＥのベアラステータスを前記第１のネットワークと同期させるためにトラッキングエリア更新（ＴＡＵ）を開始することと
を行うように構成された、請求項１５に記載の装置。
【請求項２０】
前記少なくとも１つのアクションをとるための前記手段は、
データスロットリングが実施されている間、アプリケーションから前記第１のネットワークへの、前記第２のネットワークから切断するようにとの要求をバッファすることと、
前記データスロットリングの満了まで前記要求をバッファすることと、
前記データスロットリングの満了時に、前記バッファされた要求を前記第１のネットワークに転送することと
を行うように構成された、請求項１５に記載の装置。
【請求項２１】
前記第２のネットワークへの接続を求める後続の要求が前記第１のネットワークによって拒否されたことを検出するための手段
をさらに備える、請求項１５に記載の装置。
【請求項２２】
前記後続の要求の前記拒否は、前記第１のネットワークが前記第２のネットワークへの追加の接続を許可しないことを示す、請求項２１に記載の装置。
【請求項２３】
少なくとも１つのアクションをとるための前記手段は、
前記ＵＥによって前記第２のネットワークへの前記接続をローカルに切断することに対してフラグを設定することと、
前記フラグが設定された場合、前記後続の要求の前記拒否を検出したことに応答して、前記ＵＥのベアラステータスを前記第１のネットワークと同期させるためにトラッキングエリア更新（ＴＡＵ）を開始することと
を行うように構成された、請求項２１に記載の装置。
【請求項２４】
前記少なくとも１つのアクションをとるための前記手段は、
前記第１のネットワークが予期しないアクティブ無線ベアラコンテキストを有すると決定することと、
前記第１のネットワークが予期しないアクティブ無線ベアラコンテキストを有すると決定したことに応答して、フラグを設定することと、
前記フラグが設定された場合、前記後続の要求の前記拒否を検出したことに応答して、前記ＵＥのベアラステータスを前記第１のネットワークと同期させるためにトラッキングエリア更新（ＴＡＵ）を開始することと
を行うように構成された、請求項２１に記載の装置。
【請求項２５】
前記少なくとも１つのアクションをとるための前記手段は、
前記ＵＥが前記第２のネットワークに接続されているかどうかを決定することと、
前記後続の要求の前記拒否を検出したことと、前記ＵＥが前記第２のネットワークに接続されていないと決定したこととに応答して、トラッキングエリア更新（ＴＡＵ）を開始することと
を行うように構成された、請求項２１に記載の装置。
【請求項２６】
前記第１のネットワークがロングタームエボリューション（ＬＴＥ）ネットワークを備える、請求項１５に記載の装置。
【請求項２７】
ユーザ機器（ＵＥ）によるワイヤレス通信のための装置であって、
前記ＵＥが第１のネットワークのカバレージエリア中にある間、パケットデータネットワーク（ＰＤＮ）を備える第２のネットワークへの接続がローカルに切断されたと決定することと、
前記第２のネットワークに接続するようにとの要求の拒否を回避するための少なくとも１つのアクションをとることと
を行うように構成された、少なくとも１つのプロセッサと、
前記少なくとも１つのプロセッサに結合されたメモリと
を備える、装置。
【請求項２８】
前記第２のネットワークに接続するようにとの要求の拒否を回避するための少なくとも１つのアクションをとることは、
前記第１のネットワークが予期しないアクティブ無線ベアラコンテキストを有すると決定することと、
応答して、前記ＵＥのベアラステータスを前記第１のネットワークと同期させるためにトラッキングエリア更新（ＴＡＵ）を開始することと
を備える、請求項２７に記載の装置。
【請求項２９】
ユーザ機器（ＵＥ）によるワイヤレス通信のためのコンピュータプログラム製品であって、
前記ＵＥが第１のネットワークのカバレージエリア中にある間、パケットデータネットワーク（ＰＤＮ）を備える第２のネットワークへの接続がローカルに切断されたと決定することと、
前記第２のネットワークに接続するようにとの要求の拒否を回避するための少なくとも１つのアクションをとることと
を行うためのコードを備えるコンピュータ可読媒体
を備える、コンピュータプログラム製品。
【請求項３０】
前記少なくとも１つのアクションをとるための前記コードは、
前記第１のネットワークが予期しないアクティブ無線ベアラコンテキストを有すると決定することと、
応答して、前記ＵＥのベアラステータスを前記第１のネットワークと同期させるためにトラッキングエリア更新（ＴＡＵ）を開始することと
を行うためのコードを含む、請求項２９に記載のコンピュータプログラム製品。
【発明の詳細な説明】
【米国特許法第１１９条に基づく優先権の主張】
【０００１】
[0001]本特許出願は、本出願の譲受人に譲渡され、参照により本明細書に明確に組み込まれる、２０１２年３月３０日に出願された「METHODS AND APPARATUS FOR IMPROVING DATA SERVICE AVAILABILITY」と題する米国仮出願第６１／６１８，５６１号の優先権を主張する。
【技術分野】
【０００２】
[0002]本開示は、一般に通信システムに関し、より詳細には、データサービスアベイラビリティを改善するための方法および装置に関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ：Long Term Evolution）である。ＬＴＥは、第３世代パートナーシッププロジェクト（３ＧＰＰ：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善することによってモバイルブロードバンドインターネットアクセスをより良くサポートするように、コストを下るように、サービスを改善するように、そして、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増大し続けるにつれて、ＬＴＥ技術のさらなる改善が必要である。好ましくは、これらの改善は、他の多元接続技術と、これらの技術を採用する電気通信規格とに適用可能であるべきである。
【発明の概要】
【０００５】
[0005]本開示のいくつかの態様は、ユーザ機器（ＵＥ）によるワイヤレス通信のための方法を提供する。本方法は、概して、ＵＥが第１のネットワークのカバレージエリア中にある間、パケットデータネットワーク（ＰＤＮ：Packet Data Network）を備える第２のネットワークへの接続がローカルに切断されたと決定することと、第２のネットワークに接続するようにとの要求の拒否を回避するための少なくとも１つのアクションをとることとを含む。
【０００６】
[0006]本開示のいくつかの態様は、ユーザ機器（ＵＥ）によるワイヤレス通信のための装置を提供する。本装置は、概して、ＵＥが第１のネットワークのカバレージエリア中にある間、パケットデータネットワーク（ＰＤＮ）を備える第２のネットワークへの接続がローカルに切断されたと決定するための手段と、第２のネットワークに接続するようにとの要求の拒否を回避するための少なくとも１つのアクションをとるための手段とを含む。
【０００７】
[0007]本開示のいくつかの態様は、ユーザ機器（ＵＥ）によるワイヤレス通信のための装置を提供する。本装置は、概して、少なくとも１つのプロセッサと、少なくとも１つのプロセッサに結合されたメモリとを含む。少なくとも１つのプロセッサは、概して、ＵＥが第１のネットワークのカバレージエリア中にある間、パケットデータネットワーク（ＰＤＮ）を備える第２のネットワークへの接続がローカルに切断されたと決定することと、第２のネットワークに接続するようにとの要求の拒否を回避するための少なくとも１つのアクションをとることとを行うように構成される。
【０００８】
[0008]本開示のいくつかの態様は、ユーザ機器（ＵＥ）によるワイヤレス通信のためのコンピュータプログラム製品を提供する。本コンピュータプログラム製品は、概して、ＵＥが第１のネットワークのカバレージエリア中にある間、パケットデータネットワーク（ＰＤＮ）を備える第２のネットワークへの接続がローカルに切断されたと決定することと、第２のネットワークに接続するようにとの要求の拒否を回避するための少なくとも１つのアクションをとることとを行うためのコードを備えるコンピュータ可読媒体を含む。
【図面の簡単な説明】
【０００９】
【図１】[0009]ネットワークアーキテクチャの一例を示す図。
【図２】[0010]アクセスネットワークの一例を示す図。
【図３】[0011]ＬＴＥにおけるＤＬフレーム構造の一例を示す図。
【図４】[0012]ＬＴＥにおけるＵＬフレーム構造の一例を示す図。
【図５】[0013]ユーザプレーンおよび制御プレーンのための無線プロトコルアーキテクチャの一例を示す図。
【図６】[0014]本開示のいくつかの態様による、アクセスネットワーク中の発展型ノードＢおよびユーザ機器の一例を示す図。
【図７】[0015]本開示のいくつかの態様による、パケットデータネットワーク（ＰＤＮ）に接続するようにとの要求の拒否を回避するための、ユーザ機器（ＵＥ）によって実行される例示的な動作を示す図。
【図７Ａ】[0016]本開示のいくつかの態様による、図７に示す動作を実行することが可能な例示的な構成要素を示す図。
【図８】[0017]本開示のいくつかの態様による、パケットデータネットワーク（ＰＤＮ）に接続するようにとの要求の拒否を回避するための、ユーザ機器（ＵＥ）によって実行される例示的な動作を示す図。
【詳細な説明】
【００１０】
[0018]添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１１】
[0019]次に、様々な装置および方法に関して電気通信システムのいくつかの態様を提示する。これらの装置および方法について、以下の詳細な説明において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素をハードウェアとして実装するか、ソフトウェアとして実装するかは、特定の適用例および全体的なシステムに課された設計制約に依存する。
【００１２】
[0020]例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１３】
[0021]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含めるべきである。
【００１４】
[0022]図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは他のアクセスネットワークと相互接続することができるが、簡単のために、それらのエンティティ／インターフェースは図示されていない。例示的な他のアクセスネットワークは、ＩＰマルチメディアサブシステム（ＩＭＳ：IP Multimedia Subsystem）ＰＤＮ、インターネットＰＤＮ、管理ＰＤＮ（たとえば、プロビジョニングＰＤＮ）、キャリア固有のＰＤＮ、事業者固有のＰＤＮ、および／またはＧＰＳ  ＰＤＮを含み得る。図示のように、ＥＰＳはパケット交換サービスを提供するが、当業者なら容易に諒解するように、本開示全体にわたって提示する様々な概念は、回線交換サービスを提供するネットワークに拡張され得る。
【００１５】
[0023]Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、Ｘ２インターフェース（たとえば、バックホール）を介して他のｅＮＢ１０８に接続され得る。ｅＮＢ１０６は、基地局、送受信基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１６】
[0024]ｅＮＢ１０６はＳ１インターフェースによってＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、たとえば、インターネットと、イントラネットと、ＩＰマルチメディアサブシステム（ＩＭＳ）と、ＰＳストリーミングサービス（ＰＳＳ：PS Streaming Service）とを含み得る。この方法では、ＵＥ１０２は、ＬＴＥネットワークを通してＰＤＮに結合され得る。
【００１７】
[0025]ＰＤＮゲートウェイ１１８は、一般に、インターネット、イントラネットなど、事業者のＩＰサービス１２２中に一般に含まれるＰＤＮへのアクセスをＵＥに与える。いくつかの態様では、ＬＴＥネットワーク１００は、ＵＥ１０２とネットワークの様々な他の構成要素との間の通信のための、ベアラと呼ばれる１つまたは複数の論理接続をセットアップする。たとえば、ＬＴＥネットワークは、ＵＥ１０２とＥ−ＵＴＲＡＮ１０４との間の通信のための１つまたは複数の無線ベアラ（ＲＢ：radio bearer）をセットアップし得る。ＵＥ１０２がＥ−ＵＴＲＡＮ１０４を越えて、たとえばＰＤＮに通信することを可能にするために、ＬＴＥネットワークは、１つまたは複数の拡張パケットサービス（ＥＰＳ：Enhanced Packet Services）ベアラをセットアップし得る。一態様では、無線ベアラとＥＰＳベアラとの間に１対１マッピングが存在する。
【００１８】
[0026]ＭＭＥ１１２は、ＵＥ１０２がＰＤＮと通信することを可能にするためのベアラを作成することを担当する制御プレーンエンティティである。ＭＭＥ１１２は、概して、ＵＥ１０２とＥＵＴＲＡＮ／ＰＤＮとの間のデータの通信に参加しない。ＭＭＥ１１２は、ＵＥ１０２とＰＤＮとの間の接続（たとえばインターネット）をセットアップするのを単に助ける。これは、ＭＭＥ１１２が、ＵＥ１０２とＰＤＮ１２３との間の通信のための無線ベアラおよび／またはＥＰＳベアラをセットアップすることを含み得る。一態様では、ＵＥ１０２がＰＤＮ１２３と通信することを希望するが、すでにセットアップされた必要なベアラを見つけられない場合、ＵＥ１０２は、ＰＤＮ１２３との通信のために必要とされるベアラを作成するようにＭＭＥ１１２に要求し得る。
【００１９】
[0027]いくつかの態様では、ＵＥ１０２がＬＴＥカバレージ中にあり、ＬＴＥネットワークに接続されているとき、ＵＥ１０２は常に、少なくとも１つのＰＤＮゲートウェイ／ＰＤＮに接続されている。ＵＥ１０２が１つまたは複数の追加のＰＤＮに接続すること（たとえば、デフォルトネットワーク、たとえばインターネットに接続されながら、イントラネットに接続すること）を望む場合、ＵＥ１０２は、（たとえば、ベアラがまだＬＴＥネットワークによってセットアップされていないので）各新しいＰＤＮに接続するためにＵＥ１０２とＭＭＥ１１２との間で実行されるＰＤＮ接続性要求プロシージャを使用し得る。ベアラがＭＭＥ１１２によってセットアップされると、ＵＥ１０２はデータをＰＤＮゲートウェイ／新しいＰＤＮに送ることを開始し得る。いくつかの態様では、追加のＰＤＮへの接続が事業者によって必要とされることがある。
【００２０】
[0028]ＬＴＥネットワークとネットワークとは、以下で（たとえば、図７の説明まで）互換的に使用される。
【００２１】
[0029]図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、リモートラジオヘッド（ＲＲＨ：remote radio head）と呼ばれることがある。より低い電力クラスのｅＮＢ２０８は、フェムトセル（たとえば、ホームｅＮＢ（ＨｅＮＢ））、ピコセル、またはマイクロセルであり得る。マクロｅＮＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、すべての無線関係機能を担当する。
【００２２】
[0030]アクセスネットワーク２００によって採用される変調および多元接続方式は、展開されている特定の電気通信規格に応じて異なり得る。ＬＴＥ適用例では、周波数分割複信（ＦＤＤ：frequency division duplexing）と時分割複信（ＴＤＤ：time division duplexing）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念は、ＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、ＣＤＭＡを採用して移動局にブロードバンドインターネットアクセスを提供する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、Ｅｖｏｌｖｅｄ  ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００２３】
[0031]ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコードし（たとえば、振幅および位相のスケーリングを適用し）、次いでＤＬ上で複数の送信アンテナを通して空間的にプリコードされた各ストリームを送信することによって達成される。空間的にプリコーディングされたデータストリームは、異なる空間シグナチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコーディングされたデータストリームを送信し、これにより、ｅＮＢ２０４は、空間的にプリコーディングされた各データストリームのソースを識別することが可能になる。
【００２４】
[0032]空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２５】
[0033]以下の詳細な説明では、アクセスネットワークの様々な態様について、ＤＬ上でＯＦＤＭをサポートするＭＩＭＯシステムに関して説明する。ＯＦＤＭは、ＯＦＤＭシンボル内のいくつかのサブキャリアを介してデータを変調するスペクトル拡散技法である。サブキャリアは正確な周波数で離間する。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２６】
[0034]図３は、ＬＴＥにおけるＤＬフレーム構造の一例を示す図３００である。フレーム（１０ｍｓ）は、０〜９のインデックスをもつ等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、３０４として示されるリソース要素のいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ）３０４とを含む。ＵＥ−ＲＳ３０４は、対応する物理ＤＬ共有チャネル（ＰＤＳＣＨ：physical DL shared channel）がマッピングされるリソースブロック上でのみ送信される。各リソース要素によって搬送されるビット数は変調方式に依存する。したがって、ＵＥが受信するリソースブロックが多いほど、また変調方式が高いほど、ＵＥのデータレートは高くなる。
【００２７】
[0035]ＬＴＥでは、ｅＮＢは、ｅＮＢ中の各セルについて１次同期信号（ＰＳＳ：primary synchronization signal）と２次同期信号（ＳＳＳ：secondary synchronization signal）とを送り得る。１次同期信号および２次同期信号は、それぞれ、ノーマルサイクリックプレフィックス（ＣＰ）をもつ各無線フレームのサブフレーム０および５の各々中のシンボル期間６および５中で送られ得る。同期信号は、セル検出および捕捉のためにＵＥによって使用され得る。ｅＮＢは、サブフレーム０のスロット１中のシンボル期間０〜３中で物理ブロードキャストチャネル（ＰＢＣＨ：Physical Broadcast Channel）を送り得る。ＰＢＣＨはあるシステム情報を搬送し得る。
【００２８】
[0036]ｅＮＢは、各サブフレームの最初のシンボル期間中で物理制御フォーマットインジケータチャネル（ＰＣＦＩＣＨ：Physical Control Format Indicator Channel）を送り得る。ＰＣＦＩＣＨは、制御チャネルのために使用されるいくつか（Ｍ個）のシンボル期間を搬送し得、ここで、Ｍは、１、２または３に等しくなり得、サブフレームごとに変化し得る。Ｍはまた、たとえば、リソースブロックが１０個未満である、小さいシステム帯域幅では４に等しくなり得る。ｅＮＢは、各サブフレームの最初のＭ個のシンボル期間中に物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る。ＰＨＩＣＨは、ハイブリッド自動再送要求（ＨＡＲＱ：hybrid automatic repeat request）をサポートするための情報を搬送し得る。ＰＤＣＣＨは、ＵＥのためのリソース割振りに関する情報と、ダウンリンクチャネルのための制御情報とを搬送し得る。ｅＮＢは、各サブフレームの残りのシンボル期間中に物理ダウンリンク共有チャネル（ＰＤＳＣＨ：Physical Downlink Shared Channel）を送り得る。ＰＤＳＣＨは、ダウンリンク上でのデータ送信のためにスケジュールされたＵＥのためのデータを搬送し得る。
【００２９】
[0037]ｅＮＢは、ｅＮＢによって使用されるシステム帯域幅の中心１．０８ＭＨｚにおいてＰＳＳ、ＳＳＳ、およびＰＢＣＨを送り得る。ｅＮＢは、これらのチャネルが送られる各シンボル期間中のシステム帯域幅全体にわたってＰＣＦＩＣＨおよびＰＨＩＣＨを送り得る。ｅＮＢは、システム帯域幅のいくつかの部分においてＵＥのグループにＰＤＣＣＨを送り得る。ｅＮＢは、システム帯域幅の特定の部分において特定のＵＥにＰＤＳＣＨを送り得る。ｅＮＢは、すべてのＵＥにブロードキャスト方式でＰＳＳ、ＳＳＳ、ＰＢＣＨ、ＰＣＦＩＣＨおよびＰＨＩＣＨを送り得、特定のＵＥにユニキャスト方法でＰＤＣＣＨを送り得、また特定のＵＥにユニキャスト方法でＰＤＳＣＨを送り得る。
【００３０】
[0038]各シンボル期間においていくつかのリソース要素が利用可能であり得る。各リソース要素（ＲＥ）は、１つのシンボル期間中の１つのサブキャリアをカバーし得、実数値または複素数値であり得る１つの変調シンボルを送るために使用され得る。各シンボル期間中に基準信号のために使用されないリソース要素は、リソース要素グループ（ＲＥＧ：resource element group）に構成され得る。各ＲＥＧは、１つのシンボル期間中に４つのリソース要素を含み得る。ＰＣＦＩＣＨは、シンボル期間０において、周波数にわたってほぼ等しく離間され得る、４つのＲＥＧを占有し得る。ＰＨＩＣＨは、１つまたは複数の構成可能なシンボル期間において、周波数全体にわたって拡散され得る、３つのＲＥＧを占有し得る。たとえば、ＰＨＩＣＨのための３つのＲＥＧは、すべてシンボル期間０に属し得るか、またはシンボル期間０、１および２に拡散され得る。ＰＤＣＣＨは、たとえば、最初のＭ個のシンボル期間中に利用可能なＲＥＧから選択され得る、９個、１８個、３６個、または７２個のＲＥＧを占有し得る。ＲＥＧのいくつかの組合せのみがＰＤＣＣＨに対して許可され得る。
【００３１】
[0039]ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索する組合せの数は、一般に、ＰＤＣＣＨに対して可能にされた組合せの数よりも少ない。ｅＮＢは、ＵＥが探索することになる組合せのいずれかにおいてＵＥにＰＤＣＣＨを送り得る。
【００３２】
[0040]図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。ＵＬフレーム構造は、データセクション中の連続するサブキャリアのすべてを単一のＵＥに割り当てることを可能にし得る連続サブキャリアを含むデータセクションを生じる。
【００３３】
[0041]ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical UL control channel）中で制御情報を送信し得る。ＵＥは、データセクション中の割り当てられたリソースブロック上の物理ＵＬ共有チャネル（ＰＵＳＣＨ：physical UL shared channel）中でデータのみまたはデータと制御情報の両方を送信し得る。ＵＬ送信は、サブフレームの両方のスロットにわたり得、周波数上でホッピングし得る。
【００３４】
[0042]初期システムアクセスを実行し、物理ランダムアクセスチャネル（ＰＲＡＣＨ：physical random access channel）４３０中でＵＬ同期を達成するためにリソースブロックのセットが使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００３５】
[0043]図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担当する。
【００３６】
[0044]ユーザプレーンでは、Ｌ２レイヤ５０８は、ネットワーク側のｅＮＢにおいて終端される、メディアアクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含むＬ２レイヤ５０８の上にいくつかの上位レイヤを有し得る。
【００３７】
[0045]ＰＤＣＰサブレイヤ５１４は、異なる無線ベアラと論理チャネルとの間で多重化を行う。ＰＤＣＰサブレイヤ５１４はまた、無線送信オーバーヘッドを低減するために上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよび再統合と、紛失データパケットの再送信と、ハイブリッド自動再送要求（ＨＡＲＱ：hybrid automatic repeat request）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り振ることを担当する。ＭＡＣサブレイヤ５１０はまたＨＡＲＱ動作を担当する。
【００３８】
[0046]制御プレーンでは、ＵＥおよびｅＮＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担当する。
【００３９】
[0047]図６は、アクセスネットワーク中でＵＥ６５０と通信しているｅＮＢ６１０のブロック図である。ＤＬでは、コアネットワークからの上位レイヤパケットが、コントローラ／プロセッサ６７５に与えられる。コントローラ／プロセッサ６７５は、Ｌ２レイヤの機能を実装する。ＤＬでは、コントローラ／プロセッサ６７５は、様々な優先度メトリックに基づいてヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担当する。
【００４０】
[0048]ＴＸプロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。次いで、コーディングされ変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコードされる。チャネル推定器６７４からのチャネル推定値は、コーディングおよび変調方式を決定するために、ならびに空間処理のために使用され得る。チャネル推定値は、ＵＥ６５０によって送信される基準信号および／またはチャネル状態フィードバックから導出され得る。次いで、各空間ストリームは、別個の送信機６１８ＴＸを介して異なるアンテナ６２０に与えられる。各送信機６１８ＴＸは、送信のためにそれぞれの空間ストリームでＲＦキャリアを変調する。
【００４１】
[0049]ＵＥ６５０において、各受信機６５４ＲＸは、そのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号のコンスタレーションポイントを決定することによって復元され、復調される。これらの軟判定は、チャネル推定器６５８によって計算されるチャネル推定値に基づき得る。軟判定は、次いで、物理チャネル上でｅＮＢ６１０によって最初に送信されたデータおよび制御信号を復元するために復号され、デインターリーブされる。データおよび制御信号は、次いで、コントローラ／プロセッサ６５９に与えられる。
【００４２】
[0050]コントローラ／プロセッサ６５９はＬ２レイヤを実装する。コントローラ／プロセッサは、プログラムコードとデータとを記憶するメモリ６６０に関連し得る。メモリ６６０はコンピュータ可読媒体と呼ばれることがある。ＵＬでは、コントローラ／プロセッサ６５９は、コアネットワークからの上位レイヤパケットを復元するために、トランスポートチャネルと論理チャネルとの間での多重分離と、パケット再統合と、復号（decipher）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００４３】
[0051]ＵＬでは、データソース６６７は、コントローラ／プロセッサ６５９に上位レイヤパケットを与えるために使用される。データソース６６７は、Ｌ２レイヤの上のすべてのプロトコルレイヤを表す。ｅＮＢ６１０によるＤＬ送信に関して説明した機能と同様に、コントローラ／プロセッサ６５９は、ヘッダ圧縮と、暗号化と、パケットのセグメント化および並べ替えと、ｅＮＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作、紛失パケットの再送信、およびｅＮＢ６１０へのシグナリングを担当する。
【００４４】
[0052]ｅＮＢ６１０によって送信される基準信号またはフィードバックからの、チャネル推定器６５８によって導出されるチャネル推定値は、適切なコーディングおよび変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００４５】
[0053]ＵＬ送信は、ＵＥ６５０における受信機機能に関して説明した方法と同様の方法でｅＮＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００４６】
[0054]コントローラ／プロセッサ６７５はＬ２レイヤを実装する。コントローラ／プロセッサ６７５は、プログラムコードとデータとを記憶するメモリ６７６に関連し得る。メモリ６７６はコンピュータ可読媒体と呼ばれることがある。ＵＬでは、コントローラ／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００４７】
データサービスアベイラビリティを改善するための例示的な方法および装置
[0055]いくつかの態様では、規格が様々なシナリオでのＬＴＥネットワーク／ＵＥビヘイビアを定義する。たとえば、ＵＥがＬＴＥカバレージ中にあり、ＰＤＮがＬＴＥネットワークまたはＵＥのいずれかによって切断されなければならない場合、明示的オーバージエア（over the air； ＯＴＡ）シグナリングが使用されなければならない。たとえば、明示的ＯＴＡシグナリングは、ＵＥがＰＤＮを切断することを望むときに、ＵＥがＰＤＮ切断要求をネットワークに送ることを含み得る。ＰＤＮ切断要求を受信したことに応答して、ネットワークは、たとえば、接続のために使用されたベアラを割振り解除することと、ＰＤＮへの接続のためにＵＥに割り振られたＩＰアドレスを割振り解除することと、接続のために割り振られたリソースを解放することと、ネットワーク側のコンテキストをクリアすることと、ＵＥにコンテキストをクリアするように命令することとによって、ＰＤＮ接続に関するリソースをクリアし得る。
【００４８】
[0056]さらに、規格によれば、ＬＴＥカバレージ外にある間、ＵＥがＰＤＮへの接続をティアダウン（tear down）することを必要とする場合、ＵＥはローカルに接続を終了しなければならない。さらに、ＵＥは、それがＬＴＥネットワークに戻るとすぐに、ＵＥのベアラステータスをネットワークと同期させるためにトラッキングエリア更新（ＴＡＵ：Tracking Area Update）を実行するように要求される。同様に、ＵＥがＬＴＥカバレージ外にあるときにネットワークがＰＤＮを切断する場合、ＵＥがサービス要求を行うときはいつでも、ＵＥは、１つのデータ無線ベアラ（ＤＲＢ：data radio bearer）が消失していることに気づき得、ＰＤＮと通信するために割り当てられたコンテキストとリソースとのローカルクリーンアップを実行するように要求される。したがって、規格は、ネットワークとＵＥとが、規格ベースのプロシージャを使用して常に同期していると仮定する。
【００４９】
[0057]しかしながら、ＵＥがネットワークと同期外れになることにつながり得る、規格によって予期されていない状況があり得る。たとえば、いくつかのシナリオ（たとえばパケットロスを生じ得る輻輳）では、ＵＥは、ＬＴＥネットワークカバレージ中にある間、所定の時間期間の間、メッセージをＰＤＮ上で送るのを停止するように命令され得る。これは一般に、データスロットリングまたはバックオフと呼ばれる。しかしながら、ＵＥが、ＬＴＥネットワークカバレージ中にある間、データスロットリング中に（たとえばＵＥ上のブラウザを閉じることによって）ＰＤＮをローカルに切断し、所定の時間期間（またはデータスロットリング）の満了後にＰＤＮに再接続するように要求する場合、ネットワークは依然としてＵＥがＰＤＮに接続されていると考えるので、ネットワークはＵＥの要求を拒否し得る。これは、ネットワークが、規格によって定義された上記の同期機構により、そのような状況が起こることをまったく予想しないからである。しかしながら、このシナリオについて定義されたＴＡＵトリガがあり得ないので、ＵＥは、ＰＤＮに再接続している間、ＴＡＵプロシージャを実行し得ず、したがって、ＬＴＥネットワークとＵＥとが同期外れになる（たとえば、ＵＥの知覚されているＥＰＳベアラのステータスが、ネットワークの知覚されているＥＰＳベアラのステータスに一致しない）ことにつながる。一態様では、ネットワークが、たとえば非アクティビティの結果として、ＵＥをＰＤＮから切断されるべきものとして扱うまで、ＵＥからの再接続要求の拒否は続き得る。この状況は、ＵＥが再びネットワークと同期するまで、ＵＥがＰＤＮによって提供されるサービスにアクセスできないことにつながり得る。
【００５０】
[0058]本開示のいくつかの態様は、ＰＤＮに接続または再接続するようにとの要求の拒否を回避するためにＵＥがとり得る、１つまたは複数のアクションについて説明する。
【００５１】
[0059]第１の態様では、データスロットリング中にＰＤＮがＵＥによってローカルに切断された場合、ＵＥは、データスロットリング中にＰＤＮへの接続がＵＥにおいてローカルに切断されたと決定した実質的直後に、ＵＥのベアラステータスをＬＴＥネットワークと同期させるためにＴＡＵプロシージャを開始および／または実行し得る。
【００５２】
[0060]第２の態様では、データスロットリング中にＰＤＮがＵＥによってローカルに切断された場合、ＵＥは、フラグを設定する手段によって、ＰＤＮがローカルに切断されたことを記憶し、フラグが設定された場合、スロットリングタイマーの満了時にＴＡＵプロシージャを実行し得る。
【００５３】
[0061]第３の態様では、サービス要求時に、ＵＥは、ＵＥのためにＬＴＥネットワークによってセットアップされた余分のまたは未使用の（たとえば、予期しない）ＤＲＢまたはアクティブベアラコンテキストがあるかどうかを確認し得る。ある場合、ＵＥは、それのベアラステータスをネットワークと同期させるためにＴＡＵプロシージャを実行し得る。
【００５４】
[0062]第４の態様では、ＵＥにあるアプリケーション（たとえば、インターネットブラウザ）がスロットル状態中にＰＤＮから切断しようと試みた場合、要求はＵＥにおいてバッファされ得、バッファされた要求はデータスロットリングの満了時に実行され得る。
【００５５】
[0063]第５の態様では、ＵＥは、ＰＤＮへの接続をローカルに切断することに対してフラグを設定し得る。ＬＴＥネットワークが、たとえば、（たとえば、原因コード＃５５を介して）ＰＤＮ接続性拒否で応答することによって、ＰＤＮに接続するようにとのＵＥによる要求を拒否した場合、およびフラグが設定された場合、ＵＥはベアラステータスを同期させるためのＴＡＵを実行し得る。一態様では、このことは、ＴＡＵプロシージャが開始される回数を（たとえば、絶対に必要な場合のみに）低減し得る。
【００５６】
[0064]第６の態様では、サービス要求時に、ＵＥは、ネットワークによってセットアップされた余分のまたは未使用の（たとえば、予期しない）ＤＲＢまたはアクティブベアラコンテキストがあるかどうかを確認し得る。ある場合、ＵＥは、ネットワークがＵＥがすでにローカルに切断したＰＤＮのためのＰＤＮコンテキストを依然として有するかもしれない可能性を示すために、フラグを設定し得る。その後、ネットワークから（たとえば原因コード＃５５を用いて）ＰＤＮ接続性拒否を受信すると、ＵＥはフラグを検査し得る。フラグが設定されている場合、ＵＥは、ベアラステータスをネットワークと同期させるためにＴＡＵを実行し得る。
【００５７】
[0065]第７の態様では、ＵＥがＰＤＮ接続性要求を実行し、ネットワークから（たとえば原因コード＃５５を用いて）ＰＤＮ接続性拒否を受信した場合、ＵＥは、要求がそれを求めて行われたＰＤＮにすでに接続されているかどうかを確認し得る。接続されていない場合、ＵＥは、ベアラステータスをネットワークと同期させるためにＴＡＵを実行し得る。このようにして、上記で説明した態様のうちの１つまたは複数は、ネットワークのＥＰＳベアラステータスの認知とＵＥのＥＰＳベアラステータスの認知とを同期させるためにＴＡＵプロシージャを活用し得る。
【００５８】
[0066]図７に、本開示のいくつかの態様による、パケットデータネットワーク（ＰＤＮ）に接続するようにとの要求の拒否を回避するための、ユーザ機器（ＵＥ）によって実行される例示的な動作７００を示す。
【００５９】
[0067]動作７００は、７０２において、ＵＥが第１のネットワークのカバレージエリア中にある間、パケットデータネットワーク（ＰＤＮ）を備える第２のネットワークへの接続がローカルに切断されたと決定することによって開始する。７０４において、ＵＥは、第２のネットワークに接続するようにとの要求の拒否を回避するための少なくとも１つのアクションをとる。一態様では、第１のネットワークはＬＴＥネットワークを含み得、第２のネットワークは、ＬＴＥネットワークを介して接続され得る。
【００６０】
[0068]一態様では、ＵＥは、第２のネットワークへの接続がデータスロットリング中に切断されたと決定し得る。一態様では、少なくとも１つのアクションは、第２のネットワークへの接続がデータスロットリング中に切断されたと決定した実質的直後に、ＵＥのベアラステータスを第１のネットワークと同期させるためにＴＡＵプロシージャを開始することを含み得る。
【００６１】
[0069]一態様では、少なくとも１つのアクションは、ＵＥによって第２のネットワークへの接続をローカルに切断することに対してフラグを設定することと、フラグが設定された場合、ＵＥのベアラステータスを第１のネットワークと同期させるために、スロットリングタイマーの満了時にＴＡＵプロシージャを開始することとを含み得る。
【００６２】
[0070]一態様では、少なくとも１つのアクションは、第１のネットワークが予期しないアクティブ無線ベアラコンテキストを有すると決定することと、応答して、ＵＥのベアラステータスを第１のネットワークと同期させるためにＴＡＵを開始することとを含み得る。
【００６３】
[0071]一態様では、少なくとも１つのアクションは、データスロットリングが実施されている間、アプリケーションから第１のネットワークへの、第２のネットワークから切断するようにとの要求をバッファすることと、データスロットリングの満了まで要求をバッファすることと、データスロットリングの満了時に、バッファされた要求を第１のネットワークに転送することとを含み得る。
【００６４】
[0072]いくつかの態様では、ＵＥは、第２のネットワークへの接続を求める後続の要求が第１のネットワークによって拒否されたことを検出し得る。一態様では、後続の要求の拒否は、第１のネットワークが第２のネットワークへの追加の接続を許可しないことを示す。一態様では、少なくとも１つのアクションは、第１のネットワークが予期しないアクティブ無線ベアラコンテキストを有すると決定することと、第１のネットワークが予期しないアクティブ無線ベアラコンテキストを有すると決定したことに応答して、フラグを設定することと、フラグが設定された場合、後続の要求の拒否を検出したことに応答して、ＵＥのベアラステータスを第１のネットワークと同期させるためにＴＡＵを開始することとを含み得る。別の態様では、少なくとも１つのアクションは、ＵＥが第２のネットワークに接続されているかどうかを決定することと、後続の要求の拒否を検出したこととＵＥが第２のネットワークに接続されていないと決定したこととに応答して、ＴＡＵを開始することとを含み得る。
【００６５】
[0073]上記で説明した動作７００は、図７の対応する機能を実行することが可能な任意の好適な構成要素または他の手段によって実行され得る。たとえば、図７に示す動作７００は、図７Ａに示す構成要素７００Ａに対応する。図７Ａでは、ＰＤＮ接続ステータス決定器７１０が、ＰＤＮへの接続がＵＥ６５０においてローカルに切断されているかどうか、およびいつ切断されたかを決定し得る。たとえば、決定器７１０は、ユーザインターフェース７２０からの（たとえば、ブラウザウィンドウを閉じることによる）ＰＤＮのローカル切断を求める切断要求を感知し、ＰＤＮがＵＥ６５０においてローカルに切断されたことを示すためにフラグを設定し得る。さらに、決定器７１０はまた、ローカル切断がデータスロットル状態中であったかまたはそうでなかったかの指示を記憶し得る。コントローラ／プロセッサ６５９は、ＰＤＮに接続するようにとのＵＥ６５０による後続の要求の拒否を回避するための１つまたは複数のアクションをとり得る。一態様では、コントローラ６５９は、（たとえば、フラグが設定された場合）ＰＤＮへの接続がローカルに切断されたと決定するとすぐ、ＵＥ６５０のベアラステータスをｅＮＢ６１０と同期させるためにＴＡＵプロシージャを開始し得る。
【００６６】
[0074]いくつかの態様では、ＰＤＮへの接続を求める後続の要求によって、決定器７１０は、ｅＮＢ６１０がＰＤＮのための予期しないアクティブ無線ベアラコンテキストを有することに気づき得る。応答して、コントローラ６５９は、ベアラステータスをｅＮＢ６１０と同期させるためにＴＡＵプロシージャを開始し得る。
【００６７】
[0075]いくつかの態様では、コントローラ６５９は、データスロットル状態中に、アプリケーションからの（たとえば、ユーザインターフェース７２０を介して受信した）ＰＤＮから切断するようにとの要求をバッファし得る。コントローラ６５９は、データスロットリングの満了時に、バッファされた要求をｅＮＢに転送し得る。
【００６８】
[0076]図８に、本開示のいくつかの態様による、パケットデータネットワーク（ＰＤＮ）に接続するようにとの要求の拒否を回避するための、ユーザ機器（ＵＥ）によって実行される例示的な動作８００を示す。
【００６９】
[0077]動作８００は、８０２において、ＬＴＥカバレージ中にある間、ＰＤＮ接続をＵＥにおいてローカルに終了することによって開始する。上記で説明したように、ＰＤＮの終了は、たとえば、ユーザインターフェース上のブラウザウィンドウを閉じることにより起こり得る。８０４において、ＵＥは、接続がデータスロットル状態中にローカルに終了されたかどうかを検査する。はいの場合、８０６において、ＵＥはステータスフラグを設定する。しかしながら、ＰＤＮ接続がデータスロットル状態中に終了されなかった場合、動作８００はプロセスブロック８０８に直接進む。８０８において、ＵＥは、それがＰＤＮとの接続を再開する準備ができているとき、ステータスフラグを検査する。一態様では、ＵＥは、データスロットリングの満了後にＰＤＮ接続を再開することを決定し得る。８１０において、ＵＥがＰＤＮ接続をデータスロットル状態中に終了したことを示すステータスフラグが設定されている場合、ＵＥは、それのベアラステータスをネットワークのベアラステータスと同期させるために、トラッキングエリア更新プロシージャを実行する。その後、ＵＥは、ＰＤＮへの接続を要求するためにサービス要求をネットワークに送り得る。８１０において、フラグが設定されていない場合、ＵＥのベアラステータスとネットワークのベアラステータスとは規格プロシージャに従ってすでに同期し得、ＵＥは、サービス要求をネットワークに送ることに直接進み得る。たとえば、上記で説明したように、ＵＥがＰＤＮ接続を非データスロットル状態中に終了した場合、ＵＥは、規格規定のプロシージャに従って、オーバージエア（ＯＴＡ）シグナリングを介して、ＵＥのベアラステータスをネットワークと同期させなければならない。
【００７０】
[0078]開示したプロセス中のステップの特定の順序または階層は、例示的な手法の一例であることを理解されたい。設計上の選好に基づいて、プロセス中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【００７１】
[0079]本明細書で使用する、項目のリスト「のうちの少なくとも１つ」を指す句は、単一のメンバーを含む、それらのアイテムの任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃを含むものとする。
【００７２】
[0080]以上の説明は、本明細書で説明した様々な態様を当業者が実施できるように与えたものである。これらの態様に対する様々な変更は当業者には容易に明らかであり、本明細書で定義した一般的原理は他の態様に適用され得る。したがって、特許請求の範囲は、本明細書で示した態様に限定されるものではなく、特許請求の範囲の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明した様々な態様の要素のすべての構造的および機能的等価物は、参照により本明細書に明確に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
【図１】
2015514368.tif 000003
【図２】
2015514368.tif 000004
【図３】
2015514368.tif 000005
【図４】
2015514368.tif 000006
【図５】
2015514368.tif 000007
【図６】
2015514368.tif 000008
【図７】
2015514368.tif 000009
【図７Ａ】
2015514368.tif 000010
【図８】
2015514368.tif 000011
【手続補正書】
【提出日】平成26年11月26日(2014.11.26)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
第１のネットワークのカバレージエリア中でデータスロットリングしている間、パケットデータネットワーク（ＰＤＮ）を備える第２のネットワークへの接続をローカルに切断することと、
前記データスロットリングの満了後に前記第２のネットワークに接続するようにとの要求の拒否を回避するための少なくとも１つのアクションをとることと
を備える、方法。
【請求項２】
前記第２のネットワークへの前記接続が前記データスロットリング中に切断されたと決定すること
をさらに備える、請求項１に記載の方法。
【請求項３】
前記少なくとも１つのアクションをとることは、前記第２のネットワークへの前記接続が前記データスロットリング中に切断されたと決定した実質的直後に、前記ＵＥのベアラステータスを前記第１のネットワークと同期させるためにトラッキングエリア更新（ＴＡＵ）を開始することを備える、請求項２に記載の方法。
【請求項４】
前記少なくとも１つのアクションをとることは、
前記ＵＥによって前記第２のネットワークへの前記接続をローカルに切断することに対してフラグを設定することと、
前記フラグが設定された場合、前記ＵＥのベアラステータスを前記第１のネットワークと同期させるために、スロットリングタイマーの満了時にトラッキングエリア更新（ＴＡＵ）を開始することと
を備える、請求項２に記載の方法。
【請求項５】
前記少なくとも１つのアクションをとることは、
前記第１のネットワークが予期しないアクティブ無線ベアラコンテキストを有すると決定することと、
応答して、前記ＵＥのベアラステータスを前記第１のネットワークと同期させるためにトラッキングエリア更新（ＴＡＵ）を開始することと
を備える、請求項１に記載の方法。
【請求項６】
前記少なくとも１つのアクションをとることは、
前記データスロットリングが実施されている間、アプリケーションから前記第１のネットワークへの、前記第２のネットワークから切断するようにとの要求をバッファすることと、
前記データスロットリングの満了まで前記要求をバッファすることと、
前記データスロットリングの満了時に、前記バッファされた要求を前記第１のネットワークに転送することと
を備える、請求項１に記載の方法。
【請求項７】
前記第２のネットワークへの接続を求める後続の要求が前記第１のネットワークによって拒否されたことを検出すること
をさらに備える、請求項１に記載の方法。
【請求項８】
前記後続の要求の前記拒否は、前記第１のネットワークが前記第２のネットワークへの追加の接続を許可しないことを示す、請求項７に記載の方法。
【請求項９】
少なくとも１つのアクションをとることは、
前記ＵＥによって前記第２のネットワークへの前記接続をローカルに切断することに対してフラグを設定することと、
前記フラグが設定された場合、前記後続の要求の前記拒否を検出したことに応答して、前記ＵＥのベアラステータスを前記第１のネットワークと同期させるためにトラッキングエリア更新（ＴＡＵ）を開始することと
を備える、請求項７に記載の方法。
【請求項１０】
前記少なくとも１つのアクションをとることは、
前記第１のネットワークが予期しないアクティブ無線ベアラコンテキストを有すると決定することと、
前記第１のネットワークが予期しないアクティブ無線ベアラコンテキストを有すると決定したことに応答して、フラグを設定することと、
前記フラグが設定された場合、前記後続の要求の前記拒否を検出したことに応答して、前記ＵＥのベアラステータスを前記第１のネットワークと同期させるためにトラッキングエリア更新（ＴＡＵ）を開始することと
を備える、請求項７に記載の方法。
【請求項１１】
前記少なくとも１つのアクションをとることは、
前記ＵＥが前記第２のネットワークに接続されているかどうかを決定することと、
前記後続の要求の前記拒否を検出したことと、前記ＵＥが前記第２のネットワークに接続されていないと決定したこととに応答して、トラッキングエリア更新（ＴＡＵ）を開始することと、
を備える、請求項７に記載の方法。
【請求項１２】
前記第１のネットワークがロングタームエボリューション（ＬＴＥ）ネットワークを備える、請求項１に記載の方法。
【請求項１３】
前記第２のネットワークが前記第１のネットワークを介して接続される、請求項１に記載の方法。
【請求項１４】
ワイヤレス通信のための装置であって、
第１のネットワークのカバレージエリア中でデータスロットリングしている間、パケットデータネットワーク（ＰＤＮ）を備える第２のネットワークへの接続をローカルに切断するための手段と、
前記データスロットリングの満了後に前記第２のネットワークに接続するようにとの要求の拒否を回避するための少なくとも１つのアクションをとるための手段と
を備える、装置。
【請求項１５】
前記第２のネットワークへの前記接続が前記データスロットリング中に切断されたと決定するための手段
をさらに備える、請求項１４に記載の装置。
【請求項１６】
前記少なくとも１つのアクションをとるための前記手段は、前記第２のネットワークへの前記接続が前記データスロットリング中に切断されたと決定した実質的直後に、前記装置のベアラステータスを前記第１のネットワークと同期させるためにトラッキングエリア更新（ＴＡＵ）を開始するように構成された、請求項１５に記載の装置。
【請求項１７】
前記少なくとも１つのアクションをとるための前記手段は、
前記ＵＥによって前記第２のネットワークへの前記接続をローカルに切断することに対してフラグを設定することと、
前記フラグが設定された場合、前記装置のベアラステータスを前記第１のネットワークと同期させるために、スロットリングタイマーの満了時にトラッキングエリア更新（ＴＡＵ）を開始することと
を行うように構成された、請求項１５に記載の装置。
【請求項１８】
前記少なくとも１つのアクションをとるための前記手段は、
前記第１のネットワークが予期しないアクティブ無線ベアラコンテキストを有すると決定することと、
応答して、前記装置のベアラステータスを前記第１のネットワークと同期させるためにトラッキングエリア更新（ＴＡＵ）を開始することと
を行うように構成された、請求項１４に記載の装置。
【請求項１９】
前記少なくとも１つのアクションをとるための前記手段は、
前記データスロットリングが実施されている間、アプリケーションから前記第１のネットワークへの、前記第２のネットワークから切断するようにとの要求をバッファすることと、
前記データスロットリングの満了まで前記要求をバッファすることと、
前記データスロットリングの満了時に、前記バッファされた要求を前記第１のネットワークに転送することと
を行うように構成された、請求項１４に記載の装置。
【請求項２０】
前記第２のネットワークへの接続を求める後続の要求が前記第１のネットワークによって拒否されたことを検出するための手段
をさらに備える、請求項１４に記載の装置。
【請求項２１】
前記後続の要求の前記拒否は、前記第１のネットワークが前記第２のネットワークへの追加の接続を許可しないことを示す、請求項２０に記載の装置。
【請求項２２】
少なくとも１つのアクションをとるための前記手段は、
前記ＵＥによって前記第２のネットワークへの前記接続をローカルに切断することに対してフラグを設定することと、
前記フラグが設定された場合、前記後続の要求の前記拒否を検出したことに応答して、前記装置のベアラステータスを前記第１のネットワークと同期させるためにトラッキングエリア更新（ＴＡＵ）を開始することと
を行うように構成された、請求項２０に記載の装置。
【請求項２３】
前記少なくとも１つのアクションをとるための前記手段は、
前記第１のネットワークが予期しないアクティブ無線ベアラコンテキストを有すると決定することと、
前記第１のネットワークが予期しないアクティブ無線ベアラコンテキストを有すると決定したことに応答して、フラグを設定することと、
前記フラグが設定された場合、前記後続の要求の前記拒否を検出したことに応答して、前記装置のベアラステータスを前記第１のネットワークと同期させるためにトラッキングエリア更新（ＴＡＵ）を開始することと
を行うように構成された、請求項２０に記載の装置。
【請求項２４】
前記少なくとも１つのアクションをとるための前記手段は、
前記装置が前記第２のネットワークに接続されているかどうかを決定することと、
前記後続の要求の前記拒否を検出したことと、前記装置が前記第２のネットワークに接続されていないと決定したこととに応答して、トラッキングエリア更新（ＴＡＵ）を開始することと
を行うように構成された、請求項２０に記載の装置。
【請求項２５】
前記第１のネットワークがロングタームエボリューション（ＬＴＥ）ネットワークを備える、請求項１４に記載の装置。
【請求項２６】
ワイヤレス通信のための装置であって、
第１のネットワークのカバレージエリア中でデータスロットリングしている間、パケットデータネットワーク（ＰＤＮ）を備える第２のネットワークへの接続をローカルに切断することと、
前記データスロットリングの満了後に前記第２のネットワークに接続するようにとの要求の拒否を回避するための少なくとも１つのアクションをとることと
を行うように構成された、少なくとも１つのプロセッサと、
前記少なくとも１つのプロセッサに結合されたメモリと
を備える、装置。
【請求項２７】
前記第２のネットワークに接続するようにとの要求の拒否を回避するための少なくとも１つのアクションをとることは、
前記第１のネットワークが予期しないアクティブ無線ベアラコンテキストを有すると決定することと、
応答して、前記装置のベアラステータスを前記第１のネットワークと同期させるためにトラッキングエリア更新（ＴＡＵ）を開始することと
を備える、請求項２６に記載の装置。
【請求項２８】
ユーザ機器（ＵＥ）によるワイヤレス通信のためのコンピュータプログラム製品であって、
第１のネットワークのカバレージエリア中でデータスロットリングしている間、パケットデータネットワーク（ＰＤＮ）を備える第２のネットワークへの接続をローカルに切断することと、
前記データスロットリングの満了後に前記第２のネットワークに接続するようにとの要求の拒否を回避するための少なくとも１つのアクションをとることと
を行うためのコードを備えるコンピュータ可読媒体
を備える、コンピュータプログラム製品。
【請求項２９】
前記少なくとも１つのアクションをとるための前記コードは、
前記第１のネットワークが予期しないアクティブ無線ベアラコンテキストを有すると決定することと、
応答して、前記ＵＥのベアラステータスを前記第１のネットワークと同期させるためにトラッキングエリア更新（ＴＡＵ）を開始することと
を行うためのコードを含む、請求項２８に記載のコンピュータプログラム製品。
【手続補正２】
【補正対象書類名】明細書
【補正対象項目名】００７２
【補正方法】変更
【補正の内容】
【００７２】
[0080]以上の説明は、本明細書で説明した様々な態様を当業者が実施できるように与えたものである。これらの態様に対する様々な変更は当業者には容易に明らかであり、本明細書で定義した一般的原理は他の態様に適用され得る。したがって、特許請求の範囲は、本明細書で示した態様に限定されるものではなく、特許請求の範囲の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。当業者に知られている、または後に知られることになる、本開示全体にわたって説明した様々な態様の要素のすべての構造的および機能的等価物は、参照により本明細書に明確に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
以下に、本願明細書に最初に添付した特許請求の範囲に記載の内容を付記する。
［Ｃ１］  ユーザ機器（ＵＥ）によるワイヤレス通信のための方法であって、  前記ＵＥが第１のネットワークのカバレージエリア中にある間、パケットデータネットワーク（ＰＤＮ）を備える第２のネットワークへの接続がローカルに切断されたと決定することと、  前記第２のネットワークに接続するようにとの要求の拒否を回避するための少なくとも１つのアクションをとることと  を備える、方法。
［Ｃ２］  前記第２のネットワークへの前記接続がデータスロットリング中に切断されたと決定すること  をさらに備える、［Ｃ１］に記載の方法。
［Ｃ３］  前記少なくとも１つのアクションをとることは、前記第２のネットワークへの前記接続が前記データスロットリング中に切断されたと決定した実質的直後に、前記ＵＥのベアラステータスを前記第１のネットワークと同期させるためにトラッキングエリア更新（ＴＡＵ）を開始することを備える、［Ｃ２］に記載の方法。
［Ｃ４］  前記少なくとも１つのアクションをとることは、  前記ＵＥによって前記第２のネットワークへの前記接続をローカルに切断することに対してフラグを設定することと、  前記フラグが設定された場合、前記ＵＥのベアラステータスを前記第１のネットワークと同期させるために、スロットリングタイマーの満了時にトラッキングエリア更新（ＴＡＵ）を開始することと  を備える、［Ｃ２］に記載の方法。
［Ｃ５］  前記少なくとも１つのアクションをとることは、  前記第１のネットワークが予期しないアクティブ無線ベアラコンテキストを有すると決定することと、  応答して、前記ＵＥのベアラステータスを前記第１のネットワークと同期させるためにトラッキングエリア更新（ＴＡＵ）を開始することと  を備える、［Ｃ１］に記載の方法。
［Ｃ６］  前記少なくとも１つのアクションをとることは、  データスロットリングが実施されている間、アプリケーションから前記第１のネットワークへの、前記第２のネットワークから切断するようにとの要求をバッファすることと、  前記データスロットリングの満了まで前記要求をバッファすることと、  前記データスロットリングの満了時に、前記バッファされた要求を前記第１のネットワークに転送することと  を備える、［Ｃ１］に記載の方法。
［Ｃ７］  前記第２のネットワークへの接続を求める後続の要求が前記第１のネットワークによって拒否されたことを検出すること  をさらに備える、［Ｃ１］に記載の方法。
［Ｃ８］  前記後続の要求の前記拒否は、前記第１のネットワークが前記第２のネットワークへの追加の接続を許可しないことを示す、［Ｃ７］に記載の方法。
［Ｃ９］  少なくとも１つのアクションをとることは、  前記ＵＥによって前記第２のネットワークへの前記接続をローカルに切断することに対してフラグを設定することと、  前記フラグが設定された場合、前記後続の要求の前記拒否を検出したことに応答して、前記ＵＥのベアラステータスを前記第１のネットワークと同期させるためにトラッキングエリア更新（ＴＡＵ）を開始することと  を備える、［Ｃ７］に記載の方法。
［Ｃ１０］  前記少なくとも１つのアクションをとることは、  前記第１のネットワークが予期しないアクティブ無線ベアラコンテキストを有すると決定することと、  前記第１のネットワークが予期しないアクティブ無線ベアラコンテキストを有すると決定したことに応答して、フラグを設定することと、  前記フラグが設定された場合、前記後続の要求の前記拒否を検出したことに応答して、前記ＵＥのベアラステータスを前記第１のネットワークと同期させるためにトラッキングエリア更新（ＴＡＵ）を開始することと  を備える、［Ｃ７］に記載の方法。
［Ｃ１１］  前記少なくとも１つのアクションをとることは、  前記ＵＥが前記第２のネットワークに接続されているかどうかを決定することと、  前記後続の要求の前記拒否を検出したことと、前記ＵＥが前記第２のネットワークに接続されていないと決定したこととに応答して、トラッキングエリア更新（ＴＡＵ）を開始することと、  を備える、［Ｃ７］に記載の方法。
［Ｃ１２］  前記第１のネットワークがロングタームエボリューション（ＬＴＥ）ネットワークを備える、［Ｃ１］に記載の方法。
［Ｃ１３］  決定することが、前記ＵＥによって決定することを備える、［Ｃ１］に記載の方法。
［Ｃ１４］  前記第２のネットワークが前記第１のネットワークを介して接続される、［Ｃ１］に記載の方法。
［Ｃ１５］  ユーザ機器（ＵＥ）によるワイヤレス通信のための装置であって、  前記ＵＥが第１のネットワークのカバレージエリア中にある間、パケットデータネットワーク（ＰＤＮ）を備える第２のネットワークへの接続がローカルに切断されたと決定するための手段と、  前記第２のネットワークに接続するようにとの要求の拒否を回避するための少なくとも１つのアクションをとるための手段と  を備える、装置。
［Ｃ１６］  前記第２のネットワークへの前記接続がデータスロットリング中に切断されたと決定するための手段  をさらに備える、［Ｃ１５］に記載の装置。
［Ｃ１７］  前記少なくとも１つのアクションをとるための前記手段は、前記第２のネットワークへの前記接続が前記データスロットリング中に切断されたと決定した実質的直後に、前記ＵＥのベアラステータスを前記第１のネットワークと同期させるためにトラッキングエリア更新（ＴＡＵ）を開始するように構成された、［Ｃ１６］に記載の装置。
［Ｃ１８］  前記少なくとも１つのアクションをとるための前記手段は、  前記ＵＥによって前記第２のネットワークへの前記接続をローカルに切断することに対してフラグを設定することと、  前記フラグが設定された場合、前記ＵＥのベアラステータスを前記第１のネットワークと同期させるために、スロットリングタイマーの満了時にトラッキングエリア更新（ＴＡＵ）を開始することと  を行うように構成された、［Ｃ１６］に記載の装置。
［Ｃ１９］  前記少なくとも１つのアクションをとるための前記手段は、  前記第１のネットワークが予期しないアクティブ無線ベアラコンテキストを有すると決定することと、  応答して、前記ＵＥのベアラステータスを前記第１のネットワークと同期させるためにトラッキングエリア更新（ＴＡＵ）を開始することと  を行うように構成された、［Ｃ１５］に記載の装置。
［Ｃ２０］  前記少なくとも１つのアクションをとるための前記手段は、  データスロットリングが実施されている間、アプリケーションから前記第１のネットワークへの、前記第２のネットワークから切断するようにとの要求をバッファすることと、  前記データスロットリングの満了まで前記要求をバッファすることと、  前記データスロットリングの満了時に、前記バッファされた要求を前記第１のネットワークに転送することと  を行うように構成された、［Ｃ１５］に記載の装置。
［Ｃ２１］  前記第２のネットワークへの接続を求める後続の要求が前記第１のネットワークによって拒否されたことを検出するための手段  をさらに備える、［Ｃ１５］に記載の装置。
［Ｃ２２］  前記後続の要求の前記拒否は、前記第１のネットワークが前記第２のネットワークへの追加の接続を許可しないことを示す、［Ｃ２１］に記載の装置。
［Ｃ２３］  少なくとも１つのアクションをとるための前記手段は、  前記ＵＥによって前記第２のネットワークへの前記接続をローカルに切断することに対してフラグを設定することと、  前記フラグが設定された場合、前記後続の要求の前記拒否を検出したことに応答して、前記ＵＥのベアラステータスを前記第１のネットワークと同期させるためにトラッキングエリア更新（ＴＡＵ）を開始することと  を行うように構成された、［Ｃ２１］に記載の装置。
［Ｃ２４］  前記少なくとも１つのアクションをとるための前記手段は、  前記第１のネットワークが予期しないアクティブ無線ベアラコンテキストを有すると決定することと、  前記第１のネットワークが予期しないアクティブ無線ベアラコンテキストを有すると決定したことに応答して、フラグを設定することと、  前記フラグが設定された場合、前記後続の要求の前記拒否を検出したことに応答して、前記ＵＥのベアラステータスを前記第１のネットワークと同期させるためにトラッキングエリア更新（ＴＡＵ）を開始することと  を行うように構成された、［Ｃ２１］に記載の装置。
［Ｃ２５］  前記少なくとも１つのアクションをとるための前記手段は、  前記ＵＥが前記第２のネットワークに接続されているかどうかを決定することと、  前記後続の要求の前記拒否を検出したことと、前記ＵＥが前記第２のネットワークに接続されていないと決定したこととに応答して、トラッキングエリア更新（ＴＡＵ）を開始することと  を行うように構成された、［Ｃ２１］に記載の装置。
［Ｃ２６］  前記第１のネットワークがロングタームエボリューション（ＬＴＥ）ネットワークを備える、［Ｃ１５］に記載の装置。
［Ｃ２７］  ユーザ機器（ＵＥ）によるワイヤレス通信のための装置であって、
前記ＵＥが第１のネットワークのカバレージエリア中にある間、パケットデータネットワーク（ＰＤＮ）を備える第２のネットワークへの接続がローカルに切断されたと決定することと、    前記第２のネットワークに接続するようにとの要求の拒否を回避するための少なくとも１つのアクションをとることと  を行うように構成された、少なくとも１つのプロセッサと、
前記少なくとも１つのプロセッサに結合されたメモリと  を備える、装置。
［Ｃ２８］  前記第２のネットワークに接続するようにとの要求の拒否を回避するための少なくとも１つのアクションをとることは、  前記第１のネットワークが予期しないアクティブ無線ベアラコンテキストを有すると決定することと、  応答して、前記ＵＥのベアラステータスを前記第１のネットワークと同期させるためにトラッキングエリア更新（ＴＡＵ）を開始することと  を備える、［Ｃ２７］に記載の装置。
［Ｃ２９］  ユーザ機器（ＵＥ）によるワイヤレス通信のためのコンピュータプログラム製品であって、
前記ＵＥが第１のネットワークのカバレージエリア中にある間、パケットデータネットワーク（ＰＤＮ）を備える第２のネットワークへの接続がローカルに切断されたと決定することと、    前記第２のネットワークに接続するようにとの要求の拒否を回避するための少なくとも１つのアクションをとることと  を行うためのコードを備えるコンピュータ可読媒体
を備える、コンピュータプログラム製品。
［Ｃ３０］  前記少なくとも１つのアクションをとるための前記コードは、  前記第１のネットワークが予期しないアクティブ無線ベアラコンテキストを有すると決定することと、  応答して、前記ＵＥのベアラステータスを前記第１のネットワークと同期させるためにトラッキングエリア更新（ＴＡＵ）を開始することと  を行うためのコードを含む、［Ｃ２９］に記載のコンピュータプログラム製品。
【国際調査報告】
2015514368.tif 000012
2015514368.tif 000013
2015514368.tif 000014
2015514368.tif 000015
2015514368.tif 000016
2015514368.tif 000017